(57)【要約】【課題】  長辺側及び短辺側のいずれの方向からもスライドスタッキングすることができる組立式合成樹脂製容器を提供せんとするものである。【解決手段】  平面方形状の底板の側端縁に高さ調整部を突設し、前記高さ調整部にヒンジ部を介して折曲自在に４つの側板を連結して、組み立て及び折り畳み自在な組立式合成樹脂製容器であって、底板の底面周縁に一定幅の水平周縁部を設け、前記水平周縁部の内側に水平周縁部よりも下方に突出した突出部を突設し、水平周縁部の四隅部には、水平周縁部よりも一段上がった平面略Ｌ字状の嵌合凹部を設け、側板の両端部上面には４つの側板を起立させて組み立てたとき、四隅において平面略Ｌ字状を形成する嵌合突出部を設け、上段の容器の水平周縁部が下段の容器の側板上面に載置し、突出部が下段の容器の上面開口部内に嵌合して、上段の容器を傾斜させてスライドスタッキングできるようにした。【選択図】        図４
2007176563.tif 000002
【特許請求の範囲】
【請求項１】
平面方形状の底板の側端縁に高さ調整部を突設し、前記高さ調整部にヒンジ部を介して折曲自在に４つの側板を連結して組み立てた状態から、最初に折り畳まれる一対の第２側板の上に後から折り畳まれる一対の第１側板を水平に折り畳むことができるように連結された組立式合成樹脂製容器であって、底板の底面周縁に一定幅の水平周縁部を設け、前記水平周縁部の内側に水平周縁部よりも下方に突出した突出部を突設し、前記４つの側板を組み立てた容器を互いに段積みする際に、上段の容器の水平周縁部が下段の容器の側板上面に載置し、突出部が下段の容器の上面開口部内に嵌合して、上段の容器を傾斜させてスライドスタッキングできるようにしたことを特徴とする組立式合成樹脂製容器。
【請求項２】
水平周縁部の四隅部には、水平周縁部よりも一段上がった平面略Ｌ字状の嵌合凹部を設け、側板の両端部上面には４つの側板を起立させて組み立てたとき、四隅において平面略Ｌ字状を形成する嵌合突出部を設け、段積みした際に前記嵌合凹部に嵌合突出部が嵌合することを特徴とする請求項１に記載の組立式合成樹脂製容器。
【請求項３】
嵌合凹部の両端部は傾斜面によって水平周縁部に連続していることを特徴とする請求項１または請求項２に記載の組立式合成樹脂製容器。
【請求項４】
底板の突出部は、２以上のブロックに分割して突設したことを特徴とする請求項１〜３のいずれか１項に記載の組立式合成樹脂製容器。
【発明の詳細な説明】
【技術分野】
【０００１】
この発明は、方形状の底板の各側端縁に折曲部又は回動軸からなるヒンジ部を介して連設した側板を、折り畳み状態から簡単に組み立て、また簡単に折り畳むことができる組立自在箱に係り、詳しくは容器上下に積み重ねるとき、上に位置する上段の容器の底部突出部の一辺側を下に位置する下段の容器の上面開口部に嵌合させ、対向辺にスライドさせながら積み重ねる、いわゆるスライドスタックが可能な組立式合成樹脂製容器に関するものである。
【背景技術】
【０００２】
従来、内容物を収納しないときは、側板を底板の上に折り畳み、内容物を収納するときは、側板を起立させて箱状に組み立てる組み立て式の合成樹脂製容器は知られている。これらの容器は、野菜、果物等農産物や各種の工業製品を輸送するために使用されている。組立式合成樹脂製容器は、耐久性に優れており繰り返して使用することができるとともに、折り畳むと嵩が減少するので容器自体を保管、運搬するのに場所をとらず効率的であることから広く使用されている。
【０００３】
このような組立式容器の多くは、折り畳んだ状態でも嵌合状態で積み重ねられるように、方形状の底板の底面四隅に凹部を形成すると共に、側板を水平に折り畳むことができるように底板端縁部に沿って突設した高さ調整部の四隅に上端を突出させた突出部を形成してなり、前記凹部に突出部を嵌合させて積み重ねられるように構成されている。
【０００４】
そして、一対の短側板と一対の長側板は、それぞれ前記高さ調整部に設けた軸受に回動軸を軸着させて組み立てられており、短側板と長側板は、それぞれ前記回動軸を中心に回動させることによって組み立てあるいは折り畳むことができるように形成されている。短側板と長側板が係合する部分には、組立状態を維持する係合突起と係合孔が設けられている。
【０００５】
組立式容器を両腕で持ち上げてそのまま下段の容器に積み重ねる場合には、上方から降ろせば積み重ねることができるものの、高い位置、例えば身長を越えるような高さの容器の上に積み重ねる場合には、上段の容器の一端部を下段の容器の端部上面に載置し、その後上段の容器をスライドさせて下段の容器に積み重ねる、いわゆるスライドスタッキングが行われる。
【０００６】
スライドスタッキングにおいて、底板の底面全体が同一な水平面であると、上段の容器を斜めにしてスライドさせる際に、側板の上面に載置したままスライドさせると、横ずれによって一方の側板側が下段の容器内に落ち込んでしまうという問題がある。
【０００７】
そこで、上段の容器の下段容器への落ち込みを防止するために、長側板の上端面をレール状に形成し、底部に長側板の上端縁が嵌合する凹部を形成することが提案されている。例えば、特開２００５−４７５０６号公報には、長側壁に、水平面と該水平面の外側縁から下方に延在する傾斜面とを有する上部フランジ部を形成すると共に、底部に形成されたスカート部の傾斜部に、規制突部を形成することが記載されている。また、特開２００５−５３５０１号公報には、底部に嵌合ブロックを設け、長側壁に湾曲変形阻止部材を設けることが記載されている。
【０００８】
上記公報に提案されている構成によれば、スライドスタッキング作業中に、上段の容器が下段の容器内に落ち込むことが防止される。
【特許文献１】特開２００５−４７５０６号公報（要約）
【特許文献２】特開２００５−５３５０１号公報（要約）
【発明の開示】
【発明が解決しようとする課題】
【０００９】
上記公報記載の容器はいずれも、長側板の下方に位置する底部に凹部を設け、この凹部に下段の容器の長側板の上端縁を嵌合させ、上段の容器を傾斜させたままスライドさせるものであるから、スライドさせる方向が長側板の一方向に限定され、短側板の方向にはスライドさせることができないという問題がある。
【００１０】
一方、容器の保管場所においては、短側板の方向においてもスライドスタッキングさせることが必要な場合もある。しかしながら、従来のスライドスタッキング可能な容器では、一方向にしかスライドスタッキングさせることができなかった。
【００１１】
この発明はかかる現況に鑑みてなされたもので、上段の容器を下段の容器に対して長側板の方向ばかりでなく、短側板の方向においてもスライドスタッキングさせることができる組立式合成樹脂製容器を提供せんとするものである。
【課題を解決するための手段】
【００１２】
この発明は上記目的を達成するために次のような構成とした。即ち、この発明に係る組立式合成樹脂製容器は、平面方形状の底板の側端縁に高さ調整部を突設し、前記高さ調整部にヒンジ部を介して折曲自在に４つの側板を連結して組み立てた状態から最初に折り畳まれる一対の第２側板の上に後から折り畳まれる一対の第１側板を水平に折り畳むことができるように連結された組立式合成樹脂製容器であって、底板の底面周縁に一定幅の水平周縁部を設け、前記水平周縁部の内側に水平周縁部よりも下方に突出した突出部を突設し、前記４つの側板を組み立てた容器を互いに段積みする際に、上段の容器の水平周縁部が下段の容器の側板上面に載置し、突出部が下段の容器の上面開口部内に嵌合して、上段の容器を傾斜させてスライドスタッキングできるようにしたことを特徴とする。
【００１３】
前記水平周縁部の四隅部には、水平周縁部よりも一段上がった平面略Ｌ字状の嵌合凹部を設け、側板の両端部上面には４つの側板を起立させて組み立てたとき、四隅において平面略Ｌ字状を形成する嵌合突出部を設け、段積みした際に前記嵌合凹部に嵌合突出部が嵌合する構成としてもよい。前記嵌合凹部の両端部は傾斜面によって水平周縁部に連続させることが好ましい。また、底板の突出部は、全体を一体に突出させた形状でもよいが、２以上に分割して突設した形状とすることもできる。２以上のブロックに分割して突設する場合には、四隅の部分にのみ突設してもよい。
【発明の効果】
【００１４】
この発明は、底板の底面に突設した突出部が、段積みした際に下段の容器の上面開口部内に嵌合する構成としたから、スライドスタッキングの作業中に突出部によって横ズレが防止され、スムーズなスライドスタッキングが可能である。また、スライドさせる方向が限定されず長辺側及び短辺側のいずれの方向にもスライドスタッキングさせることができ、作業効率が向上する。
【発明を実施するための最良の形態】
【００１５】
この発明に係る組立式合成樹脂製容器を、図示する実施形態に基づいて詳細に説明する。組立式合成樹脂製容器１０は、方形状の底板１１と前記底板１１の端縁部に沿って形成された高さ調整部１２に４つの側板を配設してなる。前記４つの側板のうち、側板１３，１３は対向する長辺側の第１の側板を形成し、側板１５，１５は、対向する短辺側の第２の側板を形成している。
【００１６】
前記長辺側の第１側板１３，１３及び短辺側の第２側板１５，１５は、それぞれ下端部に設けられた回動軸１８，１９によってそれぞれ高さ調整部１２に回動自在に軸着している。長辺側の第１側板１３，１３及び短辺側の第２側板１５，１５の上部略中央には、容器１０を持ち運ぶ際に指を挿入する取っ手孔２０、２１がそれぞれ設けられている。
【００１７】
また、この実施形態では、前記短辺側の第２側板１５，１５を先に内側に折り畳み、長辺側の第１側板１３，１３を後から折り畳まれるが、後から折り畳む第１側板１３，１３をほぼ水平に折り畳むことができるように、後から折り畳む第１側板の回動軸１８の位置を、先に折り畳まれる第２側板の回動軸１９よりも高い位置に配設されている。即ち、高さ調整部１２は、長辺側の第１側板１３，１３側が短辺側の第２側板１５，１５側よりも第２側板の厚さ分だけ一段高い段状に形成されている。
【００１８】
前記高さ調整部１２における長辺側の第１側板１３，１３を軸着する部分は、後述する長辺側の第１側板１３，１３の構成に合わせて、両端部が短辺側の第２側板１５，１５側に入り込んで延長した突出部１２ａとされている。前記延長突出部１２ａを含む高さ調整部の隅部は、一段高い段部１２ｂに形成されている。
【００１９】
前記回動軸１８は、図４及び図５に示すように、高さ調整部１２に形成された軸受部２３に回動自在に軸支されている。前記軸受部２３は、下面を開口させて形成した高さ調整部１２を仕切板２３ａによって仕切り上面を開口させると共に、仕切板２３ａの内側に回動軸係止片２３ｂを対向するように突設し、内部には回動軸１８を支持する支持部材２３ｃを突設することによって形成されている。
【００２０】
回動軸１８は、前記軸受部２３の上面開口から下方に押し込んで、中央部を支持部材２３ｃに当接させると共に、両端部を回動軸係止片２３ｂに係止させることによって組み立てられ、回動自在に軸支されている。
【００２１】
前記回動軸１９は、図６に示すように、高さ調整部１２に形成された軸受部２５に回動自在に軸支されている。前記軸受部２５は、下面を開口させて形成した高さ調整部１２を仕切板２５ａによって仕切り上面を開口させると共に、仕切板２５ａの内側に回動軸係止片２５ｂを対向するように突設し、内部には回動軸１９を支持する支持部材２５ｃを設けることによって形成されている。
【００２２】
後から折り畳まれる長辺側の第１側板１３，１３の両端部には、図２及び図４に示すように、側板に対して直交するように内側に突出した規制部１３ａ，１３ａが設けられている。長辺側の第１側板１３，１３の両端隅部の下面は、段部１２ｂに載置されるように、前記規制部１３ａ，１３ａとともに凹部１３ｂ，１３ｂが形成されている。従って、長辺側の第１側板１３，１３を起立させると、下面が高さ調整部１２の上面に載置されると共に、凹部１３ｂ，１３ｂが段部１２ｂに載置されることになる。
【００２３】
前記規制部１３ａ，１３ａの内面に短辺側の側板１５，１５の両端部外面が接合することによって、側板１５，１５が外側へ回動するのを防止するとともに、後述するように、側板１５，１５が内側に倒れるのを防止するようにロック部２７が設けられている。従って、前記規制部１３ａ，１３ａとロック部２７によって組立状態が確実に保持される。
【００２４】
前記第１側板１３，１３及び第２側板１５，１５は、高さ調整部１２に対して回動可能に軸着されており、図示する実施形態では、まず、短辺側の第２側板１５，１５を折り畳んだ後、前記第２側板の上に長辺側の第１側板１３，１３を折り畳むように構成されており、折り畳み状態は全体がほぼ水平な板状体となる（図示省略）。
【００２５】
前記構成の容器１０は、折り畳み状態から長辺側の第１側板１３，１３を回動軸１８を支点にして起立させ、次いで、短辺側の第２側板１５，１５を回動軸１９を支点にして起立させれば、図１及び図２に示すように、それぞれ接合する面に設けたロック部２７によってロックされ、組立状態とすることができる。
【００２６】
前記ロック部２７は、図７に示すように、一対の長辺側の第１側板１３，１３の両側端部に設けられた係合片２８，２８と、短辺側の第２側板１５，１５に設けたロックレバー２９、２９とによって構成されている。
【００２７】
前記ロックレバー２９，２９は、操作部２９ａと操作部２９ａの先端に水平方向に係合突片２９ｂを突設してなる。ロックレバー２９，２９は、連結部２９ｃ、２９ｃを軸にして水平方向に回動するように形成されている。従って、操作部２９ａ，２９ａを内側に押し込むと係合突片２９ｂ、２９ｂが外側に回動するので、係合片２８，２８との係合状態が解除され、短辺側の第２側板１５，１５を内側に折り畳むことが可能になる。
【００２８】
なお、ロック部２７の構成については、第１側板１３，１３と第２側板１５，１５の組立状態を維持でき、また、組立状態を解除して容易に折り畳むことができるロックされる構造であれば、図示する形態に限定されるものではなく、例えば、ロックレバー２９を上下方向にスライド可能に第２側板１５，１５の外面に装着する構成であってもよい。
【００２９】
上記構成において、長辺側の第１側板１３，１３を回動軸１８（軸受部２３）を中心にして回動させたとき、第１側板１３，１３の下面が高さ調整部１２の上面に載置されると共に、凹部１３ｂ，１３ｂが段部１２ｂに載置されるから、段部１２ｂの高さと延長突出部１２ａの長さは、凹部１３ｂ，１３ｂが描く半径内に入る寸法でなければならない。
【００３０】
次に、図１〜図３及び図８に基づいて、この発明の第１実施形態における底板１１の底面形状について説明する。底板１１の底面周縁に一定幅の水平周縁部１１ａを設け、前記水平周縁部１１ａの内側部分を水平周縁部１１ａよりも下方に突出した突出部１１ｂとする。さらに、前記水平周縁部１１ａの四隅の部分に前記水平周縁部１１ａよりも一段上がった（図８においては一段下がった）平面略Ｌ字状の嵌合凹部１１ｃを形成してなる。
【００３１】
容器を互いに積み重ねたとき、前記水平周縁部１１ａは下段容器の側板上面に載置し、突出部１１ｂが下段容器の上面開口部内に嵌合する。従って、容器を多段に積み重ねても滑り落ちることがなく、安全に積み重ねることができる。
【００３２】
また、前記嵌合凹部１１ｃは、底板１１の四隅において水平周縁部１１ａを二方向に跨って平面略Ｌ字状に切り欠くようにして形成されている。水平周縁部１１ａと嵌合凹部１１ｃは、傾斜面１１ｄによって連続している。従って、水平周縁部１１ａを基準面とすると、突出部１１ｂが下方に突出し、嵌合凹部１１ｃが上方に凹んでいる。
【００３３】
前記嵌合凹部１１ｃは、後述するように、側板の両端部上面に突設した位置決め用の嵌合突部を嵌合させるように、前記嵌合突部の高さ及び長さ寸法に対応して形成される。
【００３４】
図９において、３０は、前記位置決め用の平面略Ｌ字状をなす嵌合突部である。嵌合突部３０は、長辺側の第１側板１３，１３の両端部上面に突出するＬ字状の突部３０ａと、短辺側の第２側板１５，１５の両端部上面に突出する突部３０ｂとからなる。前記突部３０ａは、規制部１３ａの上面にも延長されて形成されており、側板１３，１３と側板１５，１５を組み立てたとき突部３０ｂと接合され、平面略Ｌ字状を形成する。また、前記突部３０ａと突部３０ｂの端部は、傾斜面３０ｃ、３０ｄによって側板上面と連続している。
【００３５】
次に、上記構成にかかる組立式合成樹脂製容器の段積みについて説明する。まず、側板１３，１３と側板１５，１５を起立させて組み立て、図１０に示すように、下段の容器の上面端部に上段の容器の下面端部を載置し、上段の容器を若干傾斜させた状態でスライドさせる。
【００３６】
このとき、上段の容器の下面の突出部１１ｂが下段の容器の上面開口部内に嵌合すると共に、上段の容器の水平周縁部１１ａが下段の容器の側板上面に載置されるので、突出部１１ｂが左右へのズレを防止することができる(図１１参照)。従って、上段の容器は、下段の容器内に落ち込むことがなく、安全にスライドさせることができる。
【００３７】
上段の容器をさらにスライドさせると、傾斜面１１ｄが嵌合突出部３０の傾斜面に当接し、嵌合凹部１１ｃのスライド方向の内壁面が嵌合突出部３０の内側面に入り込む。従って、そのままスライドを続けると、上段の容器の嵌合凹部１１ｃは、傾斜面１１ｄと嵌合突出部３０の傾斜面３０ｃ（３０ｄ）によって容易に乗り越えて嵌合突出部３０に載置される(図１２及び図１３参照)。
【００３８】
前記嵌合凹部１１ｃと嵌合突出部３０は、四隅において平面略Ｌ字状に形成されており、しかも嵌合状態で載置されているから、突出部１１ｂが上面開口部に嵌合していることと相まって、左右いずれの方向へもずれることがない。また、底板１１の中央部に突出部１１ｂを設け、四隅においては、底面に嵌合凹部１１ｃを設け、側板上面には前記嵌合凹部１１ｃと嵌合する嵌合突出部３０を設けたから、長辺側及び短辺側のいずれの方向にもスライドスタッキングすることができる。
【００３９】
なお、上記実施形態においては、突出部１１ｂの外周面と嵌合凹部１１ｃの内壁面との間に間隔を設けたが、この間隔を設けることなく、突出部１１ｂの外周面と嵌合凹部１１ｃの内壁面とを同一面によって形成してもよい。この場合には、間隔をなくした分だけ水平周縁部１１ａの幅寸法を小さくすることができる。
【００４０】
図１４、図１５は、この発明の第２実施形態を示す。この第２実施形態は、上記第１実施形態における底板１１の嵌合凹部１１ｃと、側板の両端部上面における突部３０ａ、３０ｂを省略したものである。従って、この実施形態では、図１４に示すように、底板１１の水平周縁部１１ａの内側に突出部１１ｂを設けてなり、また、図１５に示すように、側板上面は水平なフラット面に形成してなる。
【００４１】
上記第２実施形態において、底面の突出部１１ｂの長辺側の第１側板１３，１３の間の長さ寸法をｍとし、短辺側の第２側板１５，１５の間の長さ寸法をｌとし、さらに、側板を組み立てた状態における側板間の長さ寸法を、長辺側の第１側板１３，１３の間の長さ寸法をＭとし、短辺側の第２側板１５，１５の間の長さ寸法をＬとすると、Ｌ−ｌ＝２〜６ｍｍ、Ｍ−ｍ＝２〜６ｍｍとすることが好ましい。
【００４２】
側板を組み立てた状態における側板間の内面長さと突出部１１ｂの長さによるクリアランスが２ｍｍより小さいと、段積みしたとき、突出部１１ｂが下段の容器の上面開口部内に容易に嵌合しない場合があり、また、６ｍｍより大きいとスライドスタッキングする際に横ズレが大きくなり、上段の容器が下段の容器内に落ち込むおそれがあるからである。
【００４３】
上記のように、底面中央部を周縁部よりも突出させることによって、長辺側及び短辺側のいずれの方向にもスライドスタッキングが可能であるから、段積み作業が容易であり、作業性も向上する。
【００４４】
なお、底板の突出部１１ｂは、全体が１つに形成された構造に限定されるものではなく、２以上のブロックに分割形成したものであってもよい。突出部は、容器の大きさ、材質等によって四隅にのみ形成することもできる。突出部を四隅にのみ形成する場合には、その平面形状は、丸、三角、四角等任意の形状とすることができる。
【図面の簡単な説明】
【００４５】
【図１】組立状態の容器の長辺側を示す正面図であって、左半分が短辺側において断面した断面図である。
【図２】組立状態における短辺側の側面図であって、左半分が長辺側において断面した断面図である。
【図３】組立状態における左半分が平面図、右半分が底面図である。
【図４】高さ調整部に長辺側の側板を組み立てた回動軸における部分拡大断面図である。
【図５】同じく高さ調整部に長辺側の側板を組み立てた回動軸における部分拡大正面図である。
【図６】同じく高さ調整部に短辺側の側板を組み立てた回動軸における部分拡大正面図である。
【図７】第１側板と第２側板のロック部における部分拡大断面図である。
【図８】底面の隅部分の部分拡大斜視図である。
【図９】側板の組み立てた状態の隅部分の部分斜視図である。
【図１０】スライドスタッキングする際に、上段の容器をスライドさせて積み重ねる途中の側面図である。
【図１１】上段容器の水平周縁部が下段容器の側板上面に載置した状態の部分断面図である。
【図１２】上段容器の嵌合凹部１１ｃが下段容器の側板の突部に載置した状態の部分断面図である。
【図１３】段積みした状態の側面図である。
【図１４】第２実施形態における底面の隅部分の部分斜視図である。
【図１５】同じく側板を組み立てた隅部分の上面斜視図である。
【符号の説明】
【００４６】
１０：組立式合成樹脂製容器
１１：底板  
１２：高さ調整部
１３：長辺側の第１側板
１３ａ：規制部
１５：短辺側の第２側板
１８，１９：回動軸
２０，２１：取っ手孔
２３：軸受部
２５：軸受部
２７：ロック部
２８：係合片
３０：嵌合突出部
【図１】
2007176563.tif 000003
【図２】
2007176563.tif 000004
【図３】
2007176563.tif 000005
【図４】
2007176563.tif 000006
【図５】
2007176563.tif 000007
【図６】
2007176563.tif 000008
【図７】
2007176563.tif 000009
【図８】
2007176563.tif 000010
【図９】
2007176563.tif 000011
【図１０】
2007176563.tif 000012
【図１１】
2007176563.tif 000013
【図１２】
2007176563.tif 000014
【図１３】
2007176563.tif 000015
【図１４】
2007176563.tif 000016
【図１５】
2007176563.tif 000017
【手続補正書】
【提出日】平成18年1月10日(2006.1.10)
【手続補正１】
【補正対象書類名】図面
【補正対象項目名】全図
【補正方法】変更
【補正の内容】
【図１】
2007176563.tif 000018
【図２】
2007176563.tif 000019
【図３】
2007176563.tif 000020
【図４】
2007176563.tif 000021
【図５】
2007176563.tif 000022
【図６】
2007176563.tif 000023
【図７】
2007176563.tif 000024
【図８】
2007176563.tif 000025
【図９】
2007176563.tif 000026
【図１０】
2007176563.tif 000027
【図１１】
2007176563.tif 000028
【図１２】
2007176563.tif 000029
【図１３】
2007176563.tif 000030
【図１４】
2007176563.tif 000031
【図１５】
2007176563.tif 000032